(57)【要約】【課題】  ユーザが予め用意されている切り出し方法のパターンの中から切り出しパターンを選択すると共に、切り出す比率を設定させることにより、簡単な操作のみユーザが視聴したいと考える部分を拡大表示する映像信号処理装置を得る。【解決手段】  選択手段はユーザに前記複数の切り出しパターンの１つを選択させる。更に切出比率入力手段は、ユーザに前記複数の切り出しパターンで切り出すときの切り出し比率を入力させる。前記選択手段により選択された切り出しパターンであると共に、更に前記切出比率入力手段により入力した切り出し比率で映像信号から切り出して外部へ出力する。【選択図】      図６
2008005428.tif 000002
【特許請求の範囲】
【請求項１】
映像信号が入力される映像信号入力手段と、
複数の切り出しパターンを記憶するメモリと、
ユーザに前記複数の切り出しパターンの１つを選択させる選択手段と、
ユーザに前記複数の切り出しパターンで切り出すときの切り出し比率を入力させる切出比率入力手段と、
前記選択手段により選択された切り出しパターンであると共に、更に前記切出比率入力手段により入力した切り出し比率で前記映像信号から切り出して外部へ出力する切出手段とを備えたことを特徴とする映像信号処理装置。
【請求項２】
更に、ユーザにより登録された番組の条件を記憶するメモリと、
前記映像信号入力手段に入力された映像信号が前記条件に合う番組の映像信号であるか否かを検出する検出手段と、
前記検出手段による検出の結果、前記映像信号入力手段に入力された映像信号が前記条件に合う番組の映像信号であるときに、前記切出手段に前記切り出しを行わせる制御手段とを備えたことを特徴とする請求項１記載の映像信号処理装置。
【請求項３】
前記切り出しパターン毎に前記切り出し比率を対応して記憶するメモリを有し、
前記切出比率入力手段が、ユーザに前記複数の切り出しパターンで切り出すときの切り出し比率を入力させるときのデフォルトとしてユーザに提示することを特徴とする請求項１記載の映像信号処理装置。
【請求項４】
選択手段により、ユーザに複数の切り出しパターンの中から１つを選択させ、
切出比率入力手段により、ユーザに前記複数の切り出しパターンで切り出すときの切り出し比率を入力させ、
前記選択手段により選択された切り出しパターンであると共に、更に前記切出比率入力手段により入力した切り出し比率で、入力された映像信号から切り出して外部へ出力することを特徴とする映像信号処理方法。
【発明の詳細な説明】
【技術分野】
【０００１】
この発明は、映像信号処理装置に関し、特に映像の一部を切り出すことが可能な映像信号処理装置に関する。
【背景技術】
【０００２】
従来、画面を逆Ｌ字型の領域に区切り、この逆Ｌ字型の領域にサーバーから提供される情報を提示すると共に、残りの表示領域でテレビ映像又はビデオ再生映像を縮小して写すものが知られている（例えば、特許文献１参照）。
【０００３】
また、番組の主体の映像信号の画面をＬ字またはＵ字型の画面レイアウトとし、縮小した番組の周囲に選挙・地震・台風・重大ニュースなどの臨時ニュースなどの情報を、本来臨時ニュースがなかった場合に送られる番組の映像の周囲に重畳して放送される、所謂「Ｌ字型放送」や「Ｕ字型放送」がある。また、一部のニュース専門チャンネルや番組では、常時Ｌ字型放送・Ｕ字型放送で放映されている。
【０００４】
また、従来、画面の決められた位置、例えば画面の中の決められた数箇所について、部分拡大して拡大表示させることができるＤＶＤプレーヤー等が知られている。
【特許文献１】特開２００４−３１８４７５公報
【発明の開示】
【発明が解決しようとする課題】
【０００５】
番組の主体の映像信号の画面をＬ字またはＵ字型の画面レイアウトとした放送の場合、ユーザが予め用意されている切り出し方法のパターンの中から切り出しパターンを選択すると共に、切り出す比率を設定することにより、好みの部分を拡大表示させることができないという問題があった。
【０００６】
この発明は、ユーザが予め用意されている切り出し方法のパターンの中から切り出しパターンを選択すると共に、切り出す比率を設定することにより、好みの部分を拡大表示させることを目的とする。
【課題を解決するための手段】
【０００７】
上記の目的を達成するために、この発明においては、映像信号が入力される映像信号入力手段と、複数の切り出しパターンを記憶するメモリと、ユーザに前記複数の切り出しパターンの１つを選択させる選択手段と、ユーザに前記複数の切り出しパターンで切り出すときの切り出し比率を入力させる切出比率入力手段と、前記選択手段により選択された切り出しパターンであると共に、更に前記切出比率入力手段により入力した切り出し比率で前記映像信号から切り出して外部へ出力する切出手段とを備えたことを特徴とする映像信号処理装置を提供する。
【０００８】
また、上記の目的を達成するために、この発明においては、選択手段により、ユーザに複数の切り出しパターンの中から１つを選択させ、切出比率入力手段により、ユーザに前記複数の切り出しパターンで切り出すときの切り出し比率を入力させ、前記選択手段により選択された切り出しパターンであると共に、更に前記切出比率入力手段により入力した切り出し比率で、入力された映像信号から切り出して外部へ出力することを特徴とする映像信号処理方法を提供する。
【０００９】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１０】
この発明によれば、ユーザが予め用意されている切り出し方法のパターンの中から切り出しパターンを選択すると共に、切り出す比率を設定させることにより、簡単な操作のみでユーザが視聴したいと考える部分を拡大表示する映像信号処理装置を得ることができる。
【発明を実施するための最良の形態】
【００１１】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１２】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１３】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１４】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１５】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１６】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１７】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１８】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバー１２８、ＨＤＤ内蔵のＤＶＤ（Digital Versatile Disk）レコーダ１２９等の機器を接続し、これらの機器と情報伝送を行なうために使用される。
【００１９】
なお、コンテンツサーバー１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２０】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２１】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバー１３３や携帯電話１３４等と情報伝送を行なうために使用される。
【００２２】
なお、コンテンツサーバー１３３についてはコンテンツのサーバー機器として動作するための機能を持ち、さらにコンテンツのアクセスに必要なＵＲＩ情報を提供するサービスを備えたＵＰｎＰ対応機器として構成される。
【００２３】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２４】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２５】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２６】
チューナ２４５ａは、制御部２６１からの制御信号により所望のチャンネルの放送信号を選局し、この選局された放送信号をＰＳＫ（Phase Shift Keying）復調器２４５ｂに出力する。
【００２７】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２８】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２９】
また、ＴＳ復号器２４５ｃは、デジタル放送により送られているセクション情報をセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３０】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３１】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３２】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３３】
また、ＴＳ復号器２５０ｃは、デジタル放送により送られているセクション情報をセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３４】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３５】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３６】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３７】
また、字幕放送による字幕を表示するとき、グラフィック処理部２５４は、制御部２６１からの制御による字幕情報に基づき、映像信号上に字幕情報を重畳する処理を行う。
【００３８】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３９】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４０】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４１】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４２】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４３】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４４】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４５】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４６】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４７】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４８】
ところで、この実施形態では、ＨＤＤ１２５に初期登録時のＨＤＤ１２５、ＨＤＤ１２７、コンテンツサーバー１２８、ＤＶＤレコーダ１２９それぞれに割り当てられたストレージＩＤ（ＩＰアドレス、機器名を含む）を記述した登録ファイルを記憶保持している。
【００４９】
また、不揮発性メモリ２６１ｃに、ＨＤＤ１２５、ＨＤＤ１２７、コンテンツサーバー１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００５０】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてコンテンツサーバー１２８を発見する。
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバー１２８をコントロールし、コンテンツサーバー１２８内のＨＤＤ等に蓄積されているコンテンツをアクセスするために必要なＵＲＩ情報をコンテンツサーバー１２８から取得する。
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５１】
以下に、このように構成されたデジタルテレビジョン放送受信装置１１１の動作を説明する。
リモートコントローラ１１７は、デジタルテレビジョン放送受信装置１１１に備えられる入力装置であり、ユーザの入力操作により選択されたチャンネル番号に該当する信号などを赤外線でデジタルテレビジョン放送受信装置１１１に対して発信する。
【００５２】
図３は、デジタルテレビジョン放送受信装置１１１を赤外線により制御するリモートコントローラ１１７の外観を示す図である。
このリモートコントローラ１１７には、電源ボタン３０１、入力切替ボタン３０２、メニューボタン３０３、チャンネル選択数字ボタン３０４、上下左右ボタン３０５、決定ボタン３０６、戻るボタン３０７、終了ボタン３０８、チャンネルアップ／ダウンボタン３０９、音量アップ／ダウンボタン３１０が設けられている。ユーザは、各ボタン３０１〜３１０を押下することによって、メニュー画面の操作等、各種操作指示をすることができる。
【００５３】
本来臨時ニュース等がなければ放送されるであろう実際の番組の映像部分をＬ字型放送（図４（ａ）〜（ｄ）参照）やＵ字型放送（図８（ａ）および（ｂ））等のように縮小し、この縮小した映像の周囲に文字や画像等で臨時ニュースを多重して送信しているときに、縮小されている番組情報を切り出して画面一杯に拡大する場合について説明する。
【００５４】
なお、この切り出して拡大する制御については、制御部２６１が、グラフィック処理部２５４に対して、拡大表示を実行させることにより実現する。
（Ｌ字型放送）
いま、放送局側からは、災害などが発生し、実際の番組を縮小して、この縮小した実際の番組の映像部分の周囲に文字や画像等で臨時ニュースをＬ字型に多重し、図４（ａ）〜（ｄ）に示すようなＬ字型放送の内、図４（ａ）に示すＬ字型放送を行っているものとする。
【００５５】
デジタルテレビジョン放送受信装置１１１の電源ボタン３０１を押して電源ＯＮ状態とした後にチャンネル選択ボタン３０４を押し、上記図４（ａ）に示すＬ字型放送で送信されている番組を受信する。
【００５６】
この状態で、リモートコントローラ１１７のメニューボタン３０３を押下すると図６（ａ）に示すメインメニューを映像表示器１１４に表示させる。
続いてユーザが上下左右ボタン３０５を押下してカーソル（影があるところがカーソルの置かれているところ）を移動させ、図６（ａ）の“緊急文字放送受信時の表示形態設定メニュー”へカーソルを合わせて決定ボタン３０６を押下する。すると、制御部２６１は、図６（ｂ）に示す緊急文字放送受信時の表示形態設定メニューを映像表示器１１４に表示させる。
【００５７】
なお、これらメニューの表示・ＧＵＩ等の制御については制御部２６１により制御が行われる。
図６（ｂ）に示す緊急文字放送受信時の表示形態設定メニューでは、ユーザは上下左右ボタン３０５を操作し、図４（ａ）の画面レイアウトに対応してカーソルが“Ｌ字型放送（番組が左上）”に置かれたところで決定ボタン３０６を押下すると、次に図６（ａ）〜（ｃ）に示すように拡大比率設定メニューが受信映像に重畳した形で表示される。
【００５８】
このようにユーザは、図４（ａ）に示すようにＬ字型放送（番組が左上）の場合には、図５（ｂ）の“Ｌ字型放送（番組が左上）”にカーソルが置かれたところで決定ボタン３０６を押下する。
【００５９】
また、ユーザは、図４（ｂ）に示すようにＬ字型放送（番組が右上）の場合には、図５（ｂ）の“Ｌ字型放送（番組が右上）”にカーソルが置かれたところで決定ボタン３０６を押下する。
【００６０】
また、ユーザは、図４（ｃ）に示すようにＬ字型放送（番組が左下）の場合には、図５（ｂ）の“Ｌ字型放送（番組が左下）”にカーソルが置かれたところで決定ボタン３０６を押下する。
【００６１】
また、ユーザは、図４（ｄ）に示すようにＬ字型放送（番組が右下）の場合には、図５（ｂ）の“Ｌ字型放送（番組が右下）”にカーソルが置かれたところで決定ボタン３０６を押下する。
【００６２】
また、Ｌ字型放送等ではなく通常放送の場合は、図５（ｂ）の“通常”にカーソルが置かれたところで決定ボタン３０６を押下すると、受信している番組の映像は拡大されることなく通常表示の画面に戻すことができる。
【００６３】
次に図６（ａ）〜（ｃ）の拡大比率設定メニューについて説明する。この拡大比率設定メニューは、本来、災害等がなければ放送されたであろう番組を拡大するときの拡大率を決定するためのメニューである。
【００６４】
拡大比率設定メニューとしては、比率設定メニュー６０１、切り出し画角６０２、対角線６０３が、放送局から送信され番組の映像信号に重畳され、上ボタン３０５または下ボタン３０５で比率設定値６０４を増減して拡大率を調整したり、またチャンネル選択数字ボタン３０４で数字を直接入力させて比率設定値６０４を設定させる。
【００６５】
比率設定値６０４は、次の式（１）で算出する。ここでは図６（ｂ）を用いて説明する。
比率設定値６０４＝（Ａ点とＢ点間の距離）／（Ａ点とＣ点間の距離）  …（１）
【００６６】
例えば、拡大比率設定メニュー６０１表示開始時には図６（ａ）に示すように表示する。そしてユーザが上ボタン３０５または下ボタン３０５で比率設定メニュー６０１中の数値である比率設定値６０４を増減させると、これに連動して、（１）比率設定メニュー６０１中の枠と矢印は拡大縮小し、（２）切り出し画角６０２は拡大縮小し、（３）対角線６０３は伸び縮みする。このように切り出し画角６０２と対角線６０３は、比率設定値６０４の値に連動して表示される。
【００６７】
比率設定値６０４を設定後、決定ボタン３０６を押下すると、切り出された映像が画面一杯に拡大表示されて、ユーザは視聴したい映像の部分のみ見ることができる。この決定ボタンを押したときの比率設定値６０４については、図６の“Ｌ字型放送（番組が左上）”に対応付けて不揮発性メモリ２６１ｃに記憶される。そして次回、図６の“Ｌ字型放送（番組が左上）”を選択したときにデフォルトで表示されている比率設定値６０４として用いられる。この結果、例え表示形態が変わったとしても、１００％から上ボタン３０５または下ボタン３０５により設定変更するよりも変更幅を小さくすることができる。
【００６８】
なお、図６の設定方法に代え、図７に示すようにリアルタイムで切り出した位置を拡大するようにしても良い。こうすることで設定中リアルタイムに拡大比率設定メニュー６０１のバックで番組映像の拡大／縮小処理が行われるので、例えば拡大限度を確認しながら確認できるので、拡大し過ぎてしまった後に拡大し過ぎたというように拡大処理を失敗してしまうという問題を防ぐことができる。
【００６９】
以上説明した通り、この発明によれば、ユーザが予め用意されている切り出し方法のパターンの中から切り出しパターンを選択すると共に、切り出す比率を設定させることにより、簡単な操作のみでユーザが視聴したいと考える部分を拡大表示する映像信号処理装置を得ることができる。
【００７０】
（Ｕ字型放送）
いま、放送局側からは、災害などが発生し、実際の番組を縮小して、この縮小した実際の番組の映像部分の周囲に文字や画像等で臨時ニュースをＵ字型に多重し、図８（ａ）〜（ｂ）に示すようなＵ字型放送の内、図８（ａ）に示すＵ字型放送を行っているものとする。
【００７１】
デジタルテレビジョン放送受信装置１１１の電源ボタン３０１を押して電源ＯＮ状態とした後にチャンネル選択ボタン３０４を押し、上記図８（ａ）に示すＵ字型放送で送信されている番組を受信する。
【００７２】
この状態で、リモートコントローラ１１７のメニューボタン３０３を押下すると図６（ａ）に示すメインメニューを映像表示器１１４に表示させる。
続いてユーザが上下左右ボタン３０５を押下してカーソル（影があるところがカーソルの置かれているところ）を移動させ、図６（ａ）の“緊急文字放送受信時の表示形態設定メニュー”へカーソルを合わせて決定ボタン３０６を押下する。すると、制御部２６１は、図６（ｂ）に示す緊急文字放送受信時の表示形態設定メニューを映像表示器１１４に表示させる。
【００７３】
なお、これらメニューの表示・ＧＵＩ等の制御については制御部２６１により制御が行われる。
図６（ｂ）に示す緊急文字放送受信時の表示形態設定メニューでは、ユーザは上下左右ボタン３０５を操作し、図８（ａ）の画面レイアウトに対応してカーソルが“Ｕ字型放送”に置かれたところで決定ボタン３０６を押下すると、次に図９（ａ）〜（ｃ）に示すように拡大比率設定メニューが受信映像に重畳した形で表示される。
【００７４】
このようにユーザは、図８（ａ）に示すようにＵ字型放送の場合には、図５（ｂ）の“Ｕ字型放送”にカーソルが置かれたところで決定ボタン３０６を押下する。
また、ユーザは、図８（ｂ）に示すように逆Ｕ字型放送の場合には、図５（ｂ）の“逆Ｕ字型放送”にカーソルが置かれたところで決定ボタン３０６を押下する。
また、Ｕ型／逆Ｕ字放送等ではなく通常放送の場合は、図６の“通常”にカーソルが置かれたところで決定ボタン３０６を押下すると、受信している番組の映像は拡大されることなく通常表示の画面に戻すことができる。
【００７５】
次に図９（ａ）〜（ｃ）の拡大比率設定メニューについて説明する。この拡大比率設定メニューは、本来、災害等がなければ放送されたであろう番組を拡大するときの拡大率を決定するためのメニューである。
【００７６】
拡大比率設定メニューとしては、比率設定メニュー９０１、切り出し画角９０２、対角線９０３が、放送局から送信された番組の映像信号に重畳され、上ボタン３０５または下ボタン３０５で比率設定値９０４を増減して拡大率を調整したり、またチャンネル選択数字ボタン３０４で数字を直接入力させて比率設定値９０４を設定させる。
【００７７】
なお、対角線９０３は正確には縮小されている番組の対角線とはなっていないが、Ａ’点を中心として左右を折りたたんだときの対角線を意味するものとして、対角線という表現を用いることとする。
【００７８】
比率設定値９０４は、次の式（２）で算出する。ここでは図９（ｂ）を用いて説明する。
比率設定値９０４＝（Ａ’点とＢ’点間の距離）／（Ａ’点とＣ’点間の距離）  …（２）
【００７９】
例えば、拡大比率設定メニュー９０１表示開始時には図９（ａ）に示すように表示する。そしてユーザが上ボタン３０５または下ボタン３０５で比率設定メニュー９０１中の数値である比率設定値９０４を増減させると、これに連動して、（１）比率設定メニュー９０１中の枠と矢印は拡大縮小し、（２）切り出し画角９０２は拡大縮小し、（３）対角線９０３は伸び縮みする。このように切り出し画角９０２と対角線９０３は、比率設定値９０４の値に連動して表示される。
【００８０】
比率設定値９０４を設定後、決定ボタン３０６を押下すると、切り出された映像が画面一杯に拡大表示されて、ユーザは視聴したい映像の部分のみ見ることができる。
【００８１】
この決定ボタンを押したときの比率設定値９０４については、図６の“Ｕ字型放送”に対応付けて不揮発性メモリ２６１ｃに記憶される。そして次回、図６の“Ｕ字型放送”を選択したときにデフォルトで表示されている比率設定値９０４として用いられる。この結果、例え表示形態が変わったとしても、１００％から上ボタン３０５または下ボタン３０５により設定変更するよりも変更幅を小さくすることができる。
【００８２】
なお、この例についても、先の図６と図７の関係のように、リアルタイムで切り出した位置を拡大するようにしても良い。こうすることで設定中リアルタイムに拡大比率設定メニュー９０１のバックで番組映像の拡大／縮小処理が行われるので、例えば拡大限度を確認しながら確認できるので、拡大し過ぎてしまった後に拡大し過ぎたというように拡大処理を失敗してしまうという問題を防ぐことができる。
【００８３】
以上説明した通り、この発明によれば、ユーザが予め用意されている切り出し方法のパターンの中から切り出しパターンを選択すると共に、切り出す比率を設定させることにより、簡単な操作のみでユーザが視聴したいと考える部分を拡大表示する映像信号処理装置を得ることができる。
【００８４】
（自動切り出し＆拡大表示）
図１０は、本発明のある条件では、任意の条件で自動的にＬ字型・Ｕ字型放送を切り出す場合の説明図である。以下に、本発明におけるデジタルテレビジョン放送受信装置１１１の動作を説明する。
【００８５】
デジタルテレビジョン放送受信装置１１１の電源ボタン３０１を押して電源ＯＮ状態とした後にチャンネル選択ボタン３０４を押し、上記図４（ａ）に示すＬ字型放送で送信されている番組を受信する。
【００８６】
この状態で、リモートコントローラ１１７のメニューボタン３０３を押下すると図１０（ａ）に示すメインメニューを映像表示器１１４に表示させる。
続いてユーザが上下左右ボタン３０５を押下してカーソル（影があるところがカーソルの置かれているところ）を移動させ、図６（ａ）の“切り出し表示条件設定メニュー”へカーソルを合わせて決定ボタン３０６を押下する。すると、制御部２６１は、図１０（ｂ）に示す切り出し表示条件設定メニューを映像表示器１１４に表示させる。
【００８７】
なお、これらメニューの表示・ＧＵＩ等の制御については制御部２６１により制御が行われる。
ユーザは、図１０（ｂ）に示す切り出し表示条件設定メニューにおいて、設定条件１００１、切り出しタイプ１００２、比率設定値１００３を設定することができる。
【００８８】
設定条件１００１では、チャンネルまたは入力端子・曜日・番組タイトル・時間帯を設定する。切り出しタイプ１００２では、各Ｌ字型・Ｕ字型放送の切り出し方法を指定する。比率設定値１００３では、切り出す映像の比率を指定する。この指定の後、決定ボタン３０６を押下すると、この設定情報は不揮発性メモリ２６１ｃに記憶される。
【００８９】
図１１は、この自動切り出し＆拡大表示の動作を説明するためのフローチャートである。
制御部２６１は、受信している番組が設定条件１００１の条件に一致するか比較し（ステップＳ１１０１）、もし番組が設定条件１００１に一致した場合（ステップＳ１１０１のＹＥＳ）、この番組を比率設定値１００３の切り出しタイプ１００２で自動的に切り出した映像を出力し（ステップＳ１１０２）、映像表示器１１４等に表示させるなどする。もし番組が設定条件１００１に一致しない場合（ステップＳ１１０１のＮｏ）、切り出し＆拡大表示は行わず（ステップＳ１１０３）、ステップＳ１１０１へ戻る。
【００９０】
なお、番組が条件に合うかどうかについては、例えば内蔵している時計や電子番組表等の情報を用いて比較すればよい。
更に本発明では、予め自動拡大表示させるための設定をしておくことにより、設定された条件に合う番組について自動的に視聴したいと望む映像部分のみを拡大表示することができる。
【００９１】
これにより番組・チャンネルを視聴する度に、毎回拡大表示させるための設定を行うことが不要となる。
上記図１１では、番組に関連付けて自動切り出し＆拡大表示の動作を実行した。これに代えチャンネルに対応付けても良い。この場合、図１２に示すように（１）チャンネル、（２）切り出しを行うか否か、（３）切り出しタイプ、（４）切り出すときの比率設定値１００３、を関連付けるテーブルを予め不揮発性メモリ２６１ｃに記憶させておき、チャンネル切り替え時に自動的にこのテーブルを参照して切り出しを実行させる。
【００９２】
これにより、ユーザはチャンネル切り替えを行う度に、設定をし直す必要がないという効果を得ることができる。
また、拡大表示実行しているときには、この実行していることを識別するための文字や画像等を重畳して表示してもよい。例えば、図１３に示すように画面の右上に拡大表示を実行していることを示す文字や画像を表示させる。この場合、制御部２６１は、ＯＳＤ信号生成部２５７に対して、拡大表示を実行していることを識別するための文字や画像等を映像信号に重畳させるよう制御することにより実現することができる。
【００９３】
なお、この実施形態では視聴専用のテレビ放送受信装置１０１としたが、磁気ディスク・光ディスク・半導体メモリを搭載した映像・音声情報を記録することのできる機器に付随し、切り出した映像を表示・録画・再生・出力してもよい。
【００９４】
また、この実施形態では切り出し比率をパーセント［％］表示としたが、ピクセル数などその他の単位を活用してもよい。
また、録画可能な機器に付随した場合は、録画予約機能に切り出し画面設定メニュー１００１の機能が付随させ、切り出した番組を記録できるようにしてもよい。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００９５】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】リモートコントローラ１１７の外観を示す図。
【図４】Ｌ字型放送を切り出す場合を説明するための図。
【図５】緊急文字放送受信時の表示形態設定メニューを設定するときのＧＵＩ画面を示す図。
【図６】拡大比率設定メニューを設定するときのＧＵＩ画面を示す図。
【図７】拡大比率設定メニューを設定するときのＧＵＩ画面を示す図。
【図８】Ｕ字型放送、逆Ｕ時方放送を切り出す場合を説明するための図。
【図９】拡大比率設定メニューを設定するときのＧＵＩ画面を示す図。
【図１０】切り出し表示条件設定メニューを設定するときのＧＵＩ画面を示す図。
【図１１】自動切り出し＆拡大表示の動作を説明するためのフローチャート。
【図１２】チャンネル、切り出しを行うか否か、切り出しタイプ、切り出すときの比率設定値を関連付けるテーブルの一例を示す図。
【図１３】画面の右上に拡大表示を実行していることを示す画面の例を示す図。
【符号の説明】
【００９６】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバー、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008005428.tif 000003
【図２】
2008005428.tif 000004
【図３】
2008005428.tif 000005
【図４】
2008005428.tif 000006
【図５】
2008005428.tif 000007
【図６】
2008005428.tif 000008
【図７】
2008005428.tif 000009
【図８】
2008005428.tif 000010
【図９】
2008005428.tif 000011
【図１０】
2008005428.tif 000012
【図１１】
2008005428.tif 000013
【図１２】
2008005428.tif 000014
【図１３】
2008005428.tif 000015